Podtech/llm-jp-corpus-v4-ja_patent huggingface dataset:
(57)【要約】      （修正有）【課題】少スペースで沢山の帽子やバック等の物品を効率よく吊り下げ保管することができる折り畳み式自立型ハンガーを提供する。【解決手段】ハンガー本体を三脚型とし、各支持脚に吊り下げ具を取り付け、支持脚の頂点で脚を折り畳む。【選択図】図１
0003156940.tif 000002
【実用新案登録請求の範囲】
【請求項１】
ハンガー本体を三脚型とし、それぞれの支持脚に吊り下げ具を取り付け、支持脚の頂点で脚を折り畳むことを可能とした折り畳式自立型ハンガー
【考案の詳細な説明】
【技術分野】
【０００１】  本考案は三脚部支持柱に吊り具を取り付け、三脚の脚の開きを任意に開閉できるようにした折り畳式自立型ハンガーに関するも
【背景技術】
【０００２】  帽子やバック等は、一般的にはテーブルの上に置いたり壁などに取り付けられた平面型の衣類掛け又は垂直型のハンガーなどに掛けて保管している。
【先行技術文献】
【考案が解決しようとする課題】
【０００３】  沢山の帽子やバック等を保管し、必要なときに容易に取り出すためには一目瞭然とした整理保管方法が必要となる。箱入れの保管では中身が分からず、また平面掛けでは、場所を取り沢山の帽子やハンガーの保管は難しい。
このような課題を解決するため、ハンガー本体の構造を三脚型とし、３６０度何れの方向からでも吊り下げ物が判別出来る様にして、帽子やバック等を始めとした沢山の物品の吊り下げ保管を可能とする。
【課題を解決するための手段】
【０００４】  本考案は、ハンガーの本体を、使用時は本体の安定化を図るため、立体型の三脚構造とし、それぞれの支持脚には必要とする吊り具を取付け又は取付可能とした脚を使用し、本体設置時には設置場所に適合した脚の開きが出来るよう調節可能とし、設置時に出来る三脚間の立体空間を活用出来るようにして、少スペースで効率よく沢山の帽子やバック等の吊り下げ物品を分別保管出来るようにして問題の解決を図る。また、使用しない時には三脚を折り畳んで収納できるようにして収納場所の省スペース化を図る。
【考案の効果】
【０００５】  上述のように、本考案は吊り具の数に見合った沢山の帽子やバック等の吊り下げ物品の着脱と整理保管が出来るもので、三脚の占める面積も本体の大きさに見合った少スペースで済み、折り畳みが可能なため任意の場所に移動することも出来るためインテリアとしての効果も期待できる。また、使用しないときは折り畳んで収納できるので便利。
【図面の簡単な説明】
【０００６】
【図１】  本考案の折り畳み式自立型ハンガーの正面図。
【図２】  脚の天板への取付を示す図。
【図３】  実施例を示す図
【考案を実施するための形態】
【０００７】  設置時本体の安定性を確実にするための脚の開きの調節は、各脚の取り付けを１本のボルトで行い、折り畳む時はボルトの締めつけを弛め、設置する時にはボルトを強く締めつけて脚の開閉を固定し安定化を図る。。
【実施例】
【０００８】  以下、添付図面に従って実施例を説明する。三脚の材料は金属、木材、プラスチック等何れでも良いが、その構成は、各脚の折り曲げを可能とするため、図２に示すように、脚の取付は１本のボルト５とＬ字型取付具４で天板１にネジ止めして脚の安定を図る。
図３は本考案に係る実施例で、帽子やバック等を立体的に吊り下げ可能とした図を示す。
【符号の説明】
【０００９】  １        天板
２        支持脚
３        吊り下げ具
４        Ｌ字型取付具
５        支持脚取付ボルト
６，７    吊り下げ物品
【図１】
0003156940.tif 000003
【図２】
0003156940.tif 000004
【図３】
0003156940.tif 000005
(57)【要約】      （修正有）【課題】当日のカレンダーに記載された情報を秘密状態に保つことができ、当日初めて当該情報を目にすることによる「驚き」等の特別な感情を味わうことを可能とする日めくりカレンダーを提供する。【解決手段】多角形の１辺のみを残し，他の全ての辺に接着剤を塗布し、当該紙片を積層して成形する事により日めくりカレンダーを構成する。【選択図】図１
0003156923.tif 000002
【実用新案登録請求の範囲】
【請求項１】
多角形の１辺のみを残し，他の全ての辺に接着剤を塗布する等し積層して成形された日めくりカレンダーの構造。
【考案の詳細な説明】
【考案の詳細な説明】
【０００１】  本考案は、接着剤を介して紙片を積層してなる日めくりカレンダーの構造に関するものである。
【従来の技術及び考案が解決しようとする課題】
【０００２】従来、接着剤を介して紙片を積層してなる日めくりカレンダーは広く実施されて来たところであるが、１辺しか綴じられていないために，容易に当日以外のカレンダーに記載された情報を参照可能である。したがって，当日初めて当該カレンダーを目にすることによる「驚き」といった，特別な感覚を味わうことができない。
【課題を解決するための手段】
【０００３】本考案の日めくりカレンダーは、下記構造のものである（図１参照）。カレンダー本体（１）の１辺（２）を残し，それ以外の全ての辺（３）に接着剤を塗布し，積層して形成された日めくりカレンダー。
【考案の効果】
【０００４】  本考案は、当日以外のカレンダー部分を予め参照できないので，当日のカレンダーに記載された情報を秘密状態に保つことができ，当日初めて当該情報を目にすることによる「驚き」等の特別な感情を味わうことが可能である。また，表紙を剥がさなければカレンダーの開始日も不明なため，「（誕生日等）任意の月日から始まる１年分のカレンダー」という通常のカレンダー（１月１日開始）には備えられない意外性も付随して提供可能である。
【実施例】
【０００５】  本考案の実施例としては，下記の如きものが想定される。
（１）誕生日等個人の記念日からはじまる日めくりカレンダー
（２）例えば最終頁等特定の頁が該当日となるように設定し，記念日等特定の日までのカ  ウントダウン機能を備えた日めくりカレンダー
（３）友人等のメッセージや個人的なスケジュール等使用者に身近な情報を日めくり毎に  予め記載しておくことにより，毎日がサプライズとなる日めくりカレンダー
【図面の簡単な説明】
【０００６】
【図１】本考案の日めくりカレンダーの斜視図である。
【符号の説明】（１）日めくりカレンダー本体
（２）接着されていない辺
（３）接着されている辺
【図１】
0003156923.tif 000003
【手続補正書】
【提出日】平成21年10月29日(2009.10.29)
【手続補正１】
【補正対象書類名】実用新案登録請求の範囲
【補正対象項目名】全文
【補正方法】変更
【補正の内容】
【実用新案登録請求の範囲】
【請求項１】
多角形の紙片の１辺のみを残し，他の全ての辺に接着剤を塗布し，当該紙片を積層して成形された日めくりカレンダーの構造。
(57)【要約】      （修正有）【課題】手を汚さずに、ゴミを圧縮して入れることができるゴミ箱を提供する。【解決手段】ふたの中心に押し棒の通る穴を設けて押し棒を通し、ふたの裏側に箱本体より小さめの押し板を備え、押し板の中心部は押し棒と接続している。押し棒はふたの少し上から折りたためる構造であり、押し板は取り外せる構造である。【選択図】図１
0003156924.tif 000002
【実用新案登録請求の範囲】
【請求項１】
ゴミ箱のふたの中心に押し棒の通る穴を設け、ふたの裏側にはゴミ箱本体より少し小さめの押し板を備え押し板の中心は押し棒に接続している。
【請求項２】
押し板は取りはずせる構造になっている。
【請求項３】
押し棒は押しふたの少し上から折りたためる構造になっている。
【考案の詳細な説明】
【技術分野】
【０００１】本考案はゴミ箱に関するもので、ゴミ箱のフタに工夫を加える事により中のゴミを圧縮し入れ易くしたものである。
【背景技術】
【０００２】従来のゴミ箱は、単にゴミを入れるだけの容器に過ぎなかった。
【考案の開示】
【考案が解決しようとする課題】
【０００３】しかしこれでは分別回収区分の一つである、その他プラスチック類を入れると、直ぐいっぱいになってしまう。その他プラスチック類とは玉子カップ、カップ麺容器、コンビニ弁当箱、果物や家電製品の緩衝材、菓子類の袋、ラップ類、シャンプ−容器、その他かさばるものばかりである。いっぱいになった時、その都度ふたを開け手で押し込むのは面倒であり手を怪我する危険もある。
【課題を解決する為の手段】
【０００４】そこでゴミ箱のふたの中心に押し棒が通る穴を設け、ふたの裏側はゴミ箱本体より少し小さめの押し板を備え押し板の中心は押し棒に接続している（図１）。押し板は取り外せる構造で押し棒もふたの少し上から折りたためる構造になっている（図２）（図３）
【考案の効果】
【０００５】よってゴミ箱がいっぱいになってきたら押し棒を持ち上げ、押し下げれば中のゴミＢは圧縮され次のゴミが入れ易くなる。手も汚さず手に傷がつく心配もない。
【考案を実施する為の最良の形態】
【０００６】本考案に係わるゴミ箱７のふたの上には図１に示す様、押し棒２と裏側に押し板３を備え押し板は押し棒の付け根１０から取り外せる構造になっている。ふたの中心は押し棒を通す穴４がある。押し棒を押した時、穴４から抜け落ちない様、突起６を備えている。
使用後の押し棒はふたの上いっぱい迄持ち上げ折りたためる構造、図２と図３になっている。
【図面の簡単な説明】
【０００７】
【図１】本考案に係わるゴミ箱全体の断面図である。
【図２】本考案に係わるふたの断面図である。
【図３】本考案に係わるふたの上面図である。
【符号の説明】
【０００８】１    ふ  た
２    押し棒
３    押し板
４    押し棒用の穴
５    押し棒の折りたたみ部
６    押し棒の抜け落ち防止突起
７    ゴミ箱本体
８    押し棒収納用わく
９    ふたの取っ手
１０  押し板取り外し部
Ｂ    ゴ    ミ
【図１】
0003156924.tif 000003
【図２】
0003156924.tif 000004
【図３】
0003156924.tif 000005
【手続補正書】
【提出日】平成21年10月22日(2009.10.22)
【手続補正１】
【補正対象書類名】実用新案登録請求の範囲
【補正対象項目名】全文
【補正方法】変更
【補正の内容】
【実用新案登録請求の範囲】
【請求項１】
ふたの中心に押し棒の通る穴を設けて押し棒を通し、ふたの裏側に箱本体より小さめの押し板を備え、押し板の中心部は押し棒と接続していることを特徴とするゴミ箱。
【請求項２】
押し棒はふたの少し上から折りたためる構造であることを特徴とする請求項１記載のゴミ箱。
【請求項３】
押し板は取り外せる構造であることを特徴とする請求項１記載のゴミ箱。
(57)【要約】      （修正有）【課題】高価な積荷やメール便等軽薄短少の積荷の輸送配達中の盗難及び落下事故防止を図る幌付貨物トラックの荷台囲みこみ装置を提供する。【解決手段】幌付軽貨物トラックの荷台の盗難を防止するための荷台囲みこみ装置において、少なくも６個以上の骨組パイプを挟むためのコの字フックを具備する取り外しのできる軽量パネル１を荷台幌側面に固定し、施錠のできる二枚の後部開閉扉には歪み止めを取りつけたことを特徴として幌付貨物トラックの荷台囲みこみ装置を構成する。【選択図】図１
0003156922.tif 000002
【実用新案登録請求の範囲】
【請求項１】
幌付貨物トラックの荷台幌側面を軽量パネルで覆い、後部開閉幌部に鍵付両開きパネル扉を有する荷台囲みこみ装置
【請求項２】
両側面幌内側のパネルは、幌骨組パイプの異なる幌支柱幅にも適応するコの字フック装置での取付
【請求項３】
後部開閉鍵付パネル扉は歪み止め装置を設け、支柱や幌骨組パイプへの重量負荷を軽くし、鍵の施錠を確実にする装置
【考案の詳細な説明】
【技術分野】
【０００１】  幌付貨物トラック荷台の側面及び後部に軽量パネル・鍵付軽量パネル扉を設けたものである。
【背景技術】
【０００２】  幌付貨物トラックにおいて、高価な積荷・メール等軽薄短少の積荷の輸送配達中の盗難及び落下事故
【考案の概要】
【考案が解決しようとする課題】
【０００３】  幌付貨物トラックの弱点である車両と幌の隙間からの小型・薄型荷物の落下と、幌が刃物に弱い点、又後部開閉幌からの盗難及び荷物の落下防止。
且つ、使用状況により、幌付貨物トラックの利点である長尺荷物等の輸送も可能とする。
【課題を解決するための手段】
【０００４】  幌付貨物トラックの荷台幌内側の両側面には、幌骨組パイプを利用し軽量パネルを取付け、後部開閉幌部には鍵付両開きパネル扉を設置する。【０００５】  両側面軽量パネル取付けは、幌骨組パイプの異なる支柱幅にも適応するコの字フックにて取付ける。【０００６】  後部開閉鍵付パネル扉には、扉に歪み止め装置を取付け、側面軽量パネルや幌骨組パイプに負荷のかからないようにし、又、鍵の施錠を確実にする。【０００７】  後部開閉鍵付パネル扉の開閉角度を２７０度とし、同扉を使用しない時は両側面軽量パネルに固定して、長尺荷物等の輸送を可能にする。
又、同扉使用時は車体本体の後部あおりの開閉を阻止する。【０００８】  全ての軽量パネルはドライバーとスパナ各１本で取付ができる荷台囲みこみ装置
【考案の効果】
【０００９】  簡単に取付け、荷物の盗難・落下の防止・後部開閉鍵付パネル扉を荷台内の側面軽量パネルに固定する事によって長尺荷物の輸送も可能とする
【図面の簡単な説明】
【００１０】
【図１】本考案の側面及び後部開閉鍵付パネル扉取付図
【図２】側面軽量パネルコの字フック
【図３】後部開閉おありフック開閉止め
【図４】後部開閉パネル扉の歪み止め
【図５】後部開閉鍵付軽量パネルの側面軽量パネルへの固定
【考案を実施するための形態】
【００１１】    幌付貨物トラックの側面軽量パネルは、幌骨組パイプにコの字フックを利用し固定し、両側面軽量パネル及び幌骨組パイプを支点に後部開閉鍵付パネル扉を取付ける。後部開閉鍵付パネル扉を閉じる事により、車両本体後部あおり板の開閉ができなくなる。又、後部開閉鍵付パネル扉を荷台内側面軽量パネルに固定する事により、幌付貨物トラック車本来の長尺荷物等の積載が可能となる。
【符号の説明】
【００１２】１  側面軽量パネル
２  後部開閉軽量パネル扉
３  コの字フック
４  後部開閉あおりフック開閉止め
５  鍵
６  後部開閉軽量パネル扉の歪み止め
７  後部開閉鍵付軽量パネル扉と側面軽量パネルの固定金具
【図１】
0003156922.tif 000003
【図２】
0003156922.tif 000004
【図３】
0003156922.tif 000005
【図４】
0003156922.tif 000006
【図５】
0003156922.tif 000007
【手続補正書】
【提出日】平成21年10月30日(2009.10.30)
【手続補正１】
【補正対象書類名】実用新案登録請求の範囲
【補正対象項目名】全文
【補正方法】変更
【補正の内容】
【実用新案登録請求の範囲】
【請求項１】
幌付軽貨物トラックの荷台の盗難を防止するための荷台囲みこみ装置において、少なくも６個以上の骨組パイプを挟むためのコの字フックを具備する取り外しのできる軽量パネルを荷台幌側面に固定し、施錠のできる二枚の後部開閉扉には歪み止めを取りつけたことを特徴とする幌付貨物トラックの荷台囲みこみ装置。
【手続補正２】
【補正対象書類名】明細書
【補正対象項目名】０００４
【補正方法】変更
【補正の内容】
【課題を解決するための手段】
【０００４】
本考案の幌付貨物トラックの荷台囲みこみ装置は、少なくも６個以上の骨組パイプを挟むためのコの字フックを具備する取り外しのできる軽量パネルを荷台幌側面に固定し、施錠のできる二枚の後部開閉扉には歪み止めを取りつけたことを特徴とする。  具体的には、幌付貨物トラックの荷台幌内側の両側面には、幌骨組パイプを利用し軽量パネルを取付け、後部開閉幌部には鍵付両開きパネル扉を設置する。
(57)【要約】      （修正有）【課題】光の性質を調べる実験に用いる、入射角や反射角、屈折角が見やすく、鏡やレンズを置く作業が簡単で、記録紙に印を記入しやすい実験用円形分度器を提供する。【解決手段】透明な円形分度器を４分割し、上下各部の中心線から左右にそれぞれ０゜〜９０゜の目盛をつける。光の道筋を記入するために半円状の切れ目を上部と下部にそれぞれ入れ、点線の円周を複数入れてある。【選択図】図１
0003156930.tif 000002
【実用新案登録請求の範囲】
【請求項１】
透明な円形分度器を４分割し、上下各部の中心線から左右にそれぞれ０°〜９０°の目盛をつけることで入射角、反射角、屈折角を簡単に測定できる。
【請求項２】
光の道筋を記入するために半円状の切れ目を上部と下部にそれぞれ入れてある。
【請求項３】
半円形レンズや鏡を中心に設置しやすくするために、点線の円周を複数入れてある。
【考案の詳細な説明】
【技術分野】
【０００１】
本考案は、光の性質を調べる実験で入射角や反射角、屈折角などを測定するときに使用する円形の分度器である。
【背景技術】
【０００２】
従来、光の入射角や反射角、屈折角を測定する分度器は半円形のもの多く、その目盛も
０°〜１８０°のものを使用している。
円形分度器でも０°〜３６０°の目盛のものであった。
【考案の概要】
【考案が解決しようとする課題】
【０００３】
従来の光の性質を調べる実験方法は、鏡やレンズなどで反射や屈折した光の様子を紙などに写してから、反射角などを測定するので観察と測定記録が同時にはできなかった。
また、鏡やレンズなどを用紙に設置して、光をきちんと当てて測定する作業に手間がかかって、やりにくいものであった。鏡やレンズを設置しやすくして、光を中心に当てやすい操作にすることで、見たままでの測定と記録ができると実験がわかりやすくなる。
【課題を解決するための手段】
【０００４】
本考案は、透明な薄いプラスチック製の円形分度器に、中心線から左右にそれぞれ０°〜９０°の目盛をつけたことで、入射角や反射角、屈折角が見やすくなっている。また、十字線の中心から点線で同心円を入れたので、鏡やレンズを置く作業が簡単になっている。さらに、光の道筋を確認するために半円状の切れ目を入れてあるので、記録紙に印を記入しやすくしてある。
【考案の効果】
【０００５】
中心から点線の円周を入れて半円形レンズや鏡を設置しやすくしたので、実験の操作が短時間で確実になった。
【図面の簡単な説明】
【０００６】
【図１】本考案の上面図である。
【図２】本考案の実用例である。
【図１】
0003156930.tif 000003
【図２】
0003156930.tif 000004
【手続補正書】
【提出日】平成21年11月16日(2009.11.16)
【手続補正１】
【補正対象書類名】実用新案登録請求の範囲
【補正対象項目名】全文
【補正方法】変更
【補正の内容】
【実用新案登録請求の範囲】
【請求項１】
透明な円形分度器を４分割し、上下各部の中心線から左右にそれぞれ０°〜９０°の目盛をつけることで入射角、反射角、屈折角を簡単に測定できる光の実験用円形分度器。
【請求項２】
光の道筋を記入するために半円状の切れ目を上部と下部にそれぞれ入れてある請求項１に記載の光の実験用円形分度器。
【請求項３】
半円形レンズや鏡を中心に設置しやすくするために、点線の円周を複数入れてある請求項１に記載の光の実験用円形分度器。
(57)【要約】      （修正有）【課題】目的達成への意思表示を明確に示すなどの付加価値をもち、携帯しやすい印鑑又は浸透印を提供する。【解決手段】印鑑の長さを３０ミリ程度にし、携帯ストラップを取付け、印影として、内枠又は外枠に姓又は姓名４を受験校又は資格試験名１、合格又は合格祈願２、及び桜又は梅の模様３を彫刻する。【選択図】図１
0003156779.tif 000002
【実用新案登録請求の範囲】
【請求項１】
印鑑の長さは３０ミリ程度で、携帯用ストラップを取り付け、印影は内枠に姓又は姓名を彫り、外枠に受験校又は資格試験名、合格又は合格祈願および桜又は梅の模様を彫刻したことを特徴とする印鑑・浸透印。
【請求項２】
印鑑の長さは３０ミリ程度で、携帯用ストラップを取り付け、印影は内枠に桜又は梅の模様を彫り、外枠に受験校又は資格試験名、合格又は合格祈願および姓又は姓名を彫刻したことを特徴とする請求項１記載の印鑑・浸透印。
【考案の詳細な説明】
【技術分野】
【０００１】  この発明は、印鑑・浸透印の形状及び印影に関する。
【背景技術】
【０００２】  従来の印鑑の形状は、長さは、６０ミリ程の材質で成り立っており、印影は姓又は姓名が主流である。
【考案の開示】
【考案が解決しようとする課題】
【０００３】しかしながら、以上の技術によれば、印鑑自体の主要目的は捺印する事のみであった。そこで、この考案は、印鑑の長さを３０ミリ程度短くし、ストラップを付ける事により携帯しやすくするとともに、印影は姓又は姓名を内枠に彫り、外枠に受験校又は資格試験名と、合格又は合格祈願の文字と桜又は梅の模様を彫るようにし、試験の合格という明確な目的を促す価値ある印鑑・浸透印を提供することを課題とする。
【課題を解決するための手段】
【０００４】  以上の課題を解決するために、第一考案は、印鑑の長さを３０ミリ程度にし、携帯するためのストラップを付け、印影を内枠には姓又は姓名を彫り、外枠に受験校又は資格試験名と合格又は合格祈願の文字と桜又は梅の模様を彫ることを特徴とする印鑑・浸透印である。
また、第二考案は、印鑑・浸透印の形状は第一考案と同じく印鑑の長さを３０ミリ程度にし、携帯するためのストラップを付け、印影を内枠に桜又は梅の模様を彫り、外枠に受験校又は資格試験名と、合格又は合格祈願の文字と、姓名を彫ることを特徴とする印鑑・浸透印である。
【考案の効果】
【０００５】  第一発明、または第二発明によれば、今までの捺印が主目的であった印鑑に、新たなる付加価値を与えることができるとともに、この印鑑を持つことにより、試験に合格するぞという明確な目的を促す価値ある印鑑・浸透印を提供することができる。
【考案を実施するための最良の形態】
【０００６】  この考案の一実施形態を、図１に示す。
この考案の印影を図１に示したものである。内枠に姓又は姓名４を彫り、外枠に受験校又は資格試験名１と、合格又は合格祈願２、及び桜又は梅の模様３を彫ったものである。また、印鑑自体の長さは３０ミリ程度にし、上部にストラップを取り付けた印鑑である。【０００７】「実施形態の効果」
この実施形態によれば、今までの捺印だけが主目的であった印鑑に、新たなる付加価値を与えるだけでなく、受験に対し明確に合格するぞと言う意志表示を促す価値ある印鑑・浸透印を受験生又は合格を強く願う親に提供することができる。【０００８】「他の実施形態」
図１の実施形態では、内枠に４の姓又は姓名、外枠に１・２・３となっていますが、他の実施形態では、内枠に３の桜又は梅の模様、外枠に１・２と４の姓又は姓名と、入れ替えたものでも良い。
【図面の簡単な説明】
【０００９】
【図１】この発明の一実施形態を示す印影正面図である。
【図２】この発明の他の実施形態を示す印影正面図である。
【図３】印鑑にストラップを取付けた形態を示す側面図である。
【図４】従来技術を示す印影正面図である。
【符号の説明】
【００１０】［図１］この発明の一実施形態を示す側面図である。
１  受験校又は資格試験名          ２  合格又は合格祈願
３  桜又は梅の模様                ４  姓又は姓名
５  印鑑本体                      ６  携帯用ストラップ
【図１】
0003156779.tif 000003
【図２】
0003156779.tif 000004
【図３】
0003156779.tif 000005
【図４】
0003156779.tif 000006
【手続補正書】
【提出日】平成21年10月21日(2009.10.21)
【手続補正１】
【補正対象書類名】実用新案登録請求の範囲
【補正対象項目名】全文
【補正方法】変更
【補正の内容】
【実用新案登録請求の範囲】
【請求項１】
印鑑の長さは３０ミリ程度で、携帯用ストラップを取り付け、印影は内枠に姓又は姓名を彫り、外枠に受験校又は資格試験名、合格又は合格祈願および桜又は梅の模様を彫刻したことを特徴とする印鑑又は浸透印。
【請求項２】
印鑑の長さは３０ミリ程度で、携帯用ストラップを取り付け、印影は内枠に桜又は梅の模様又は他の図柄を彫り、外枠に受験校又は資格試験名、合格又は合格祈願および姓又は姓名を彫刻したことを特徴とする請求項１記載の印鑑又は浸透印。
【手続補正２】
【補正対象書類名】図面
【補正対象項目名】図１
【補正方法】変更
【補正の内容】
【図１】
0003156779.tif 000007
【手続補正３】
【補正対象書類名】図面
【補正対象項目名】図２
【補正方法】変更
【補正の内容】
【図２】
0003156779.tif 000008
(57)【要約】      （修正有）【課題】目尻や口元のたるみへの対処に費やしていた多くの労力や時間、マッサージクリームや化粧品への出費を軽減できると共に、今までの皮膚表面の手入れとは異なる、物理的な手法による新たなお手入れ方法を取り入れることにより、目尻や口元のたるみを気にする人々の自信と満足感を醸成する器具を提供する。【解決手段】装着しておくだけで、手間無く、目尻と口元の皮膚を、粘着性の高いシリコーンもしくはゴムを使用したパッド１０３により物理的に持ち上げた状態に保ち、長時間維持することを可能にするヘッドホン型器具である。【選択図】図１
0003156775.tif 000002
【実用新案登録請求の範囲】
【請求項１】
目尻と口元の皮膚を、粘着性の高いシリコーンもしくはゴムを使用したパッドにより物理的に持ち上げた状態に保ち、長時間維持することを可能にするヘッドホン型器具。
【請求項２】
請求項１の器具におりて、目尻用のパッドの位置及び器具の大きさを調整可能であることを特徴とするヘッドホン型器具。
【考案の詳細な説明】
【技術分野】
【０００１】本願考案は、目尻と口元の皮膚を物理的に吊り上げた状態で長時間保つ事を可能にする器具に関する。
【背景技術】
【０００２】加齢に伴い、目尻や口元のたるみを多くの人が気にかけ、様々な手法のお手入れが行われている。  多くのマッサージ用クリームや化粧品類が販売されているが、目尻と口元の皮膚のたるみを物理的に持ち上げた状態に保つ術が存在していない。
【考案の概要】
【考案が解決しようとする課題】
【０００３】目尻や口元の皮膚のたるみに対処するためのマッサージクリームや化粧品類による従来の手入れは、いずれも皮膚表面に対する対処に限定されているうえ、多くの手間と金銭的出費を要する。
【課題を解決するための手段】
【０００４】装着しておくだけで、手間無く、目尻と口元の皮膚を物理的に持ち上げた状態に保ち、長時間維持することを可能にする。
【考案の効果】
【０００５】目尻や口元のたるみへの対処に費やしていた多くの労力や時間、マッサージクリームや化粧品への出費を軽減できると共に、今までの皮膚表面の手入れとは異なる、物理的な手法による新たなお手入れ方法を取り入れることにより、目尻や口元のたるみを気にする人々の自信と満足感を醸成する。
【図面の簡単な説明】
【０００６】
【図１】全体構造を示す斜視図
【図２】目尻パッド及びサイズ調整用部位の構造説明用断面図
【図３】装着時の状態図
【考案を実施するための形態】
【０００７】以下、図面に基づき、本願考案の実施形態を説明する。
図１は本願考案器具の斜視図を表している。図２は目尻パッド及びサイズ調整用部位の構造を説明する断面図である。  また、図３は装着時の状態を表す。
【０００８】本願考案器具を頭頂部から口元にかけてかぶるように装着する。  （図３）
【０００９】サイズ調整用部位１０４及び目尻パッド１０２には、中にバネ０２を備えており、このバネの反発力により押しボタン０１をフレーム１０６に対して強く接触させる力が働くことにより、頭頂部フレーム１０５と左右フレーム１０６、また、左右フレーム１０６と目尻パッド１０２の位置を固定している。
【００１０】サイズ調整部位１０４にある左右の押しボタン０１を同時に押すことにより、押しボタン０１と左右フレーム１０６との接触を無くすことができ、頭頂部フレーム１０５と左右フレーム１０６をスライドさせ、フレーム全体のサイズを調整することができる。  （図１、図２）
【００１１】また、目尻パッド１０２にある左右の押しボタン０１を同時に押すことにより、左右フレーム１０６上の目尻パッド１０２の位置をスライドさせることができる。  （図１、図２）
【００１２】本願考案器具を頭部に装着後、先ず、口元パッドの位置を自らの口元に合うようにサイズ調整用部位１０４を用いて調節を行う。
【００１３】次に、目尻パッド１０２の位置を、自らの目尻に合うように調節を行う。
【００１４】最後に、サイズ調整用部位１０４を用いて、口元パッドと目尻パッドが吊り上がるようにサイズ調節を行うと、目尻と口元の皮膚が吊り上がった状態で保持される。
【００１５】尚、瞬きや会話によりパッドの位置が容易にずれないようにするため、粘着パッド１０３の材質は、粘着性の高いゴムやシリコーンを使用する。  また、フレーム１０５および１０６は、頭部及び顔を締め付ける力が強いことが必要であるため、高い反発力を持つステンレス・スチールやプラスチック素材を使用する。
【符号の説明】
【００１６】    １０１  口元パッド
１０２  目尻パッド
１０３  高粘着パッド
１０４  サイズ調整用部位
１０５  頭頂部フレーム
１０６  左右フレーム
０１  押しボタン
０２  バネ
【図１】
0003156775.tif 000003
【図２】
0003156775.tif 000004
【図３】
0003156775.tif 000005
【手続補正書】
【提出日】平成21年8月27日(2009.8.27)
【手続補正１】
【補正対象書類名】実用新案登録請求の範囲
【補正対象項目名】請求項２
【補正方法】変更
【補正の内容】
【請求項２】
請求項１の器具におりて、目尻パッド（１０２）及びサイズ調整用部位（１０４）の中に備えられたバネ（０２）の反発力により、左右フレーム（１０６）と目尻パッド（１０２）、また、頭頂部フレーム（１０５）と左右フレーム（１０６）とがそれぞれ強く接触する事による位置の固定や、逆に、目尻パッド（１０２）及びサイズ調整用部位（１０４）の押しボタン（０１）を押し、内蔵されたバネ（０２）の反発を抑える事により、それぞれの部位の接触を解除し、目尻パッド（１０２）の位置を移動させたり、器具自体の大きさを調整する事ができることを特徴とするヘッドホン型器具。
【手続補正書】
【提出日】平成21年10月27日(2009.10.27)
【手続補正１】
【補正対象書類名】実用新案登録請求の範囲
【補正対象項目名】請求項２
【補正方法】変更
【補正の内容】
【請求項２】
請求項１の器具において、目尻パッド（１０２）及びサイズ調整用部位（１０４）の中に備えられたバネ（０２）の反発力により、左右フレーム（１０６）と目尻パッド（１０２）、また、頭頂部フレーム（１０５）と左右フレーム（１０６）とがそれぞれ強く接触する事による位置の固定や、逆に、目尻パッド（１０２）及びサイズ調整用部位（１０４）の押しボタン（０１）を押し、内蔵されたバネ（０２）の反発を抑える事により、それぞれの部位の接触を解除し、目尻パッド（１０２）の位置を移動させたり、器具自体の大きさを調整する事ができることを特徴とするヘッドホン型器具。
(57)【要約】      （修正有）【課題】使用者の好みに合わせて鞄を組み立てることができる組み立て式鞄を提供する。【解決手段】パーツごとに分かれている組み立て式鞄は、複数のパーツの連結部分に穴を有しており、前記複数のパーツは連結部分にある穴を重ねて固定する事により形成される。【選択図】図３
0003156777.tif 000002
【実用新案登録請求の範囲】
【請求項１】
パーツごとに分かれている組み立て式鞄において、複数のパーツの連結部分に穴を有しており、前記複数のパーツは連結部分にある穴を重ねて固定する事により形成される鞄。
【請求項２】
請求項１において、連結部分に穴を有しており、連結部分を固定し組み立てる事によって鞄を形成できるパーツ。
【考案の詳細な説明】
【技術分野】
【０００１】本考案は、鞄に関するものである。
【背景技術】
【０００２】従来の鞄には、ファスナーで組み立てることができるものがある。
【考案の開示】
【考案が解決しようとする課題】
【０００３】しかしながら、ファスナーでは連結部分が目立ってしまう欠点があり、多くのパーツを繋げるのにも不利である。
【課題を解決するための手段】
【０００４】本考案では、鞄をパーツごとに分け、パーツを合わせる連結部分に穴をあけ固定することによって、好みの鞄を組み立てることができ、連結部分を目立たせないことで上記課題を解決する。
【考案実施の形態】
【０００５】図１に示すように、鞄のパーツ１の連結部分に穴２を開口する。
次に、図２に示すように、それぞれのパーツ１の穴２を挟むようにしてボタンなどの固定具３の手段によりパーツ１を固定する。
【０００６】図３に示すように、上記工程により組み立て式鞄を形成する。これによって使用者は自分の好きなデザインの鞄を組み立てる事ができる。
【考案の効果】
【０００７】使用者の好みの鞄のデザインを使用者自らがパーツを選択し組み立てることによって好みの鞄を作ることができ且つ組み立てた鞄を使用者が飽きた場合、新たに鞄を購入しなくてもパーツのみ購入し違った外見の鞄を作り楽しむことによって、使用者の負担を減らすことができる。
【図面の簡単な説明】
【０００８】
【図１】本考案に係るパーツの穴を利用した組み立て式鞄のパーツの正面図である。
【図２】本考案に係るパーツの穴を利用した組み立て式鞄の鞄を組み立てる工程図である。
【図３】本考案に係るパーツの穴を利用した組み立て式鞄の正面図の一例である。
【図１】
0003156777.tif 000003
【図２】
0003156777.tif 000004
【図３】
0003156777.tif 000005
【手続補正書】
【提出日】平成21年8月29日(2009.8.29)
【手続補正１】
【補正対象書類名】実用新案登録請求の範囲
【補正対象項目名】請求項２
【補正方法】削除
【補正の内容】
【手続補正書】
【提出日】平成21年10月19日(2009.10.19)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
パーツごとに分かれている組み立て式鞄において、複数のパーツの連結部分に穴を有しており、前記複数のパーツは連結部分にある穴を重ねて固定する事により形成される鞄。
(57)【要約】      （修正有）【課題】ロールブラシが付いていない電気掃除機のヘッドの吸込口から必要な物が吸い込まれゴミ袋まで入ってしまう状況を阻止するため、事前に物を吸込口でキャッチできるマグネット柵を提供する。【解決手段】硬質マグネットで作られた２本の棒状の部位とその両端にある板状の部位からなり、板状の部位に粘着テープまたは接着剤にて取り付けられることが出来る。【選択図】図３
0003156783.tif 000002
【実用新案登録請求の範囲】
【請求項１】
ロールブラシが付いていない電気掃除機のヘッドの吸込口から必要な物が吸い込まれゴミ袋まで入ってしまう状況を阻止するため、事前に物を吸込口でキャッチできるとしたところを特徴とするマグネット柵（図１）
【請求項２】
新規に製造するロールブラシを付けない電気掃除機（機種）のヘッドの吸込口に、必要な物が吸い込まれないよう付けるマグネットの柵を、吸込口を開閉するように製造時点においてスライドさせる溝構造（図４）
【請求項３】
〔請求項１〕および〔請求項２〕に示されている電気掃除機の吸込口に付ける、物をキャッチする柵の材質はマグネット
【考案の詳細な説明】
【技術分野】
【０００１】本考案は、電気掃除機のヘッドの吸い込み口に設置する必要物のキャッチャーマグネット柵に関するものである。
【背景技術】
【０００２】既存の電気掃除機のヘッドにローラーブラシ等が付いていない機種において掃除する際、ソファーやベッドの下など物陰に隠れている靴下、ハンカチ、耳飾り等の小さな金属製のものがヘッドの吸込口から吸い込まれ極めて不潔なゴミ袋まで入ってしまいそこから探しださなければならない事態になる。またヘッドにローラーブラシがついている機種においてもブラシにすぐ塵埃が詰まり、ヘッドの中まで不潔な状態になるため、ローラーブラシを取り外してまう人もいるようでその場合、上記の状況になる。
【考案の概要】
【考案が解決しようとする課題】
【０００３】電気掃除機のヘッド（図３−３）の吸込口（図３−２）に２本の棒状の両端に板状（図２−ａ・ｂ）を有したマグネットの柵（図３−１）を吸込口（図３−２）に取り付け、必要な物が吸い込まれゴミ袋の中までいかないようにする。
【考案が解決するための手段】
【０００４】〔図３〕に示したように既存のローラーブラシが付いていないヘッド（図３−３）の吸込口（図３−２）には柵の両端の板状の部位（図２−ａ・ｂ）に粘着テープにて吸込口に取り付ける。
ロールブラシを取り外した機種に対しても吸込口の形状に合わせたサイズで作製し対応する。
【０００５】〔図４〕に示したように新規に製造するローラーブラシが付いていないヘッド（図４−３）の吸込口（図４−２）にはマグネット柵（図４−１）をスライドさせ吸込口（図４−２）をゴミの大小により開閉を可能にする構造図（図６−４）にする。
【考案の効果】
【０００６】５機種を５名のモニターによる計２００回の試みの結果、棒状の本数が１本では必要なものが通過してしまい。３本および網状のものは目詰りし不本意であった。
２本が最も良くマグネットであるため金属製の物に対しての効果は顕著であった。
【図面の簡単な説明】
【０００７】
【図１】マグネット柵製図
【図２】マグネット柵投影図
【図３】マグネット柵を吸込口に取り付けた状態図
【図４】マグネット柵をスライドさせ吸込口を開閉の状
【図５】マグネット柵が吸込口にある状態の拡大図・・ｃ
【図６】マグネット柵を吸込口から移動させた状態にある拡大図・・ｄ
【図１】
0003156783.tif 000003
【図２】
0003156783.tif 000004
【図３】
0003156783.tif 000005
【図４】
0003156783.tif 000006
【図５】
0003156783.tif 000007
【図６】
0003156783.tif 000008
【手続補正書】
【提出日】平成21年10月22日(2009.10.22)
【手続補正１】
【補正対象書類名】実用新案登録請求の範囲
【補正対象項目名】全文
【補正方法】変更
【補正の内容】
【実用新案登録請求の範囲】
【請求項１】
硬質マグネットで作られた２本の棒状の部位とその両端にある板状の部位からなり、前記板状の部位に粘着テープまたは接着剤にて取り付けられることが出来るマグネット柵。
(57)【要約】      （修正有）【課題】理想のゴルフスイングを身に付けることができ、コンパクトで、軽量で持ち運びが可能で、子供から大人まで、また自宅及び練習場でも使用出来る練習器具を提供する。【解決手段】自立が出来、垂直部は高さ調整が自在に出来るスライド式の剛性のパイプ素材で構成される。頂点はパイプ素材のＴ字管構造とし、上下の高さ調整は接続箇所をボルト、ナットで締め付け、また水平の伸縮調整は、頂点のＴ字管に挿入可能なパイプ素材を挿入し任意の位置をＴ字管に取付ているボルト、ナットで締め付けが出来る。【選択図】図２
0003156781.tif 000002
【実用新案登録請求の範囲】
【請求項１】
プレーヤーの身長の大小に関わらず、軽量で持ち運びが可能、単独又は補助器具等を使用し設置が出来、またプレーヤーのグリップ（パターにおいてはシャフト等）の高さに合わせて、簡単で自在に調整出来る耐久性等のある適宣素材の器具。
【請求項２】
アドレス又はインパクト時の基準位置の素材は、スイングする際、間違って接触しても怪我等しないような適宣素材で簡単に取り換えが出来る材質。
【考案の詳細な説明】
【技術分野】
【０００１】  本案件は、ゴルフスイング（ティクバック、トップ、インパクト、フォロースルー）におけるスイングプレーンを矯正するための練習器具である。
【背景技術】
【０００２】  スイングプレーンを作り、それに沿ってスイングをし、正しいスイングを作ろうとするものである。【０００３】  ゴルフのスイングを行う場合は、プレーヤーがゴルフクラブを持ちほぼ肩幅のスタンスを取り、ゴルフクラブのヘッドを前に置いたゴルフボールの背後に合わせ、その後、ティクバックを開始し、上半身をねじりながらゴルフクラブを後方から上方へと振り上げ、トップに至り、その後ダウンスイングを開始し、ゴルフクラブヘッドをボールに当てインパクトし、フォロースルーに移行しスイングを終える。【０００４】  例えば、ゴルフスイングを行う時、スタンスを取り、スイングしインパクト時には、構えた位置にグリップが戻って来なければ、ゴルフクラブのフェースはボールに正確に当たらなく、ボールの飛ぶ方向がまちまちとなり、良いスイングをしたと言えずミスショットが起きる。
【考案の概要】
【考案が解決しようとする課題】
【０００５】  いろいろな練習器具、練習方法を試してみるが、なかなか正しいゴルフスイングが身につかない。【０００６】  ゴルフプレーヤーが実際のゴルフスイングの中でクラブヘッド及びグリップが正確にコントロール出来る技術を習得するのに最適な練習装置を作製提供する事を目的とする。【０００７】  本案件は、このような従来の練習方法ではなし得なかった問題を解決しようとするものであり、物理的な方法で正しいスイングを体感し、繰り返しの練習により理想のゴルフスイングを身に付けることを目的とする。
【課題を解決するための手段】
【０００８】  本案件は上述目的を達成させるために、コンパクトで、軽量で持ち運びが可能、子供から大人まで使用出来、また自宅及び練習場でも使用出来る練習器具を提供するものである。
【考案の効果】
【０００９】  この練習器具を使用することにより、正しいスイングが出来、アドレス時のグリップの位置、とインパクト時のアドレスの位置が一緒となり、理想のスイングとなる。
また、パターの練習にも応用出来る。
【図面の簡単な説明】
【００１０】
【図１】器具の本体図である
【図２】器具を使用し、アドレスを取った時の状態図である。
【図３】器具とグリップの位置を左前方から表した図である。
【図４】ドライバーからショートアイアンのアドレスの正面図である
【図５】▲３▼の装具をパター用に交換し、アドレスを取った時の状態図である。
【図６】パターのアドレスの正面図である。
【考案を実施するための形態】
【００１１】  図面を参照しながら、本案件実施の形態について説明する。
＊  ドライバーからショートアイアンクラブについて（図２）
この器具は調整具１，２によって子供から大人まで使用出来るようになっている、プレーヤーのグリップ７の位置が器具に触れない程度に合わせ設置、調整を行う。
＊  パターについて（図５）
３の半円部を直線部にする事により、パターの練習になる。
位置はグリップ７の位置、シャフト８の位置、パターヘッド９の位置等、プレーヤーがチェツクしたい箇所、又ストロークする方向に合わせ基準と平行になるよう繰り返し練習する。
【実施例】
【００１２】以下実施した図に従い説明をする。
図２．アドレス時
スタンスを取り、プレーヤーのグリップ７の位置を垂直１及び水平調整器具２にて調整し３の基準に合わせる。インパクト時にグリップ７は合わせた位置に戻る。
図３．図４．器具とグリップの状況写真
３の基準に触れない程度に合わせる
図５．パターのアドレス時
３の半円部を直線部に換え、プレーヤーがチェックしたい箇所に合わせ、基準に触れないよう平行にストロークする。
【符号の説明】
【００１３】  ａ−器具本体、１−垂直及び回転防止調整具、２−水平及び伸縮調整具
３−アドレス基準部、４−ボール、５−クラブヘッド、６−シャフト
７−グリップ、８−パターシャフト、９−パターヘッド
【図１】
0003156781.tif 000003
【図２】
0003156781.tif 000004
【図３】
0003156781.tif 000005
【図４】
0003156781.tif 000006
【図５】
0003156781.tif 000007
【図６】
0003156781.tif 000008
【手続補正書】
【提出日】平成21年10月27日(2009.10.27)
【手続補正１】
【補正対象書類名】実用新案登録請求の範囲
【補正対象項目名】全文
【補正方法】変更
【補正の内容】
【実用新案登録請求の範囲】
【請求項１】
自立が出来、垂直部は高さ調整が自在に出来るスライド式の剛性のパイプ素材で構成され、頂点はパイプ素材のＴ字管構造とし、上下の高さ調整は接続箇所をボルト、ナットで締め付け、また水平の伸縮調整は、頂点のＴ字管に挿入可能なパイプ素材を挿入し任意の位置をＴ字管に取付ているボルト、ナットで締め付けが出来る分解可能なゴルフ練習機
【請求項２】
前記ゴルフ練習機の水平方向先端の身体と接触可能のある部分は、交換出来る非金属性素材を使用し、交換後の形状及び位置調整を行う事により、いずれのゴルフクラブも使用が出来る請求項１のゴルフ練習機
(57)【要約】      （修正有）【課題】組立性を低下させず、且つポッティング材のせき止めとなる構造を提供する。【解決手段】ポッティング材が硬化するまでの流出防止のせき止め構造を、筐体に着脱可能な別ピースである隔離部品１として設ける。ＬＣＤ部品２１のケーブルを差し込むためのコネクタ２２を有する基板２０は、絶縁および防水のため、ポッティング材で覆う構造となっている。その前記箇所のポッティング範囲を限定するため、隔離部品１を用いてポッティング材が硬化するまでの流出をせき止める。また、狭い範囲にあるコネクタ２２の接続操作性を損なうことのないようにするため、隔離部品１はコネクタ２２を接続後に実装する。【選択図】図１
0003156566.tif 000002
【実用新案登録請求の範囲】
【請求項１】
プリント基板に搭載された所定の電子部品を絶縁または防水のためのポッティング材で覆う範囲を限定する構造であって、
上下が開いた多面体またはリング状の閉域を形成する隔壁を前記プリント基板または筐体とは別の部材で構成し、前記隔壁をポッティング材で覆うべき前記電子部品を囲うように装着し、ポッティング材を注入する際に硬化前のポッティング材が流出することを防止することを特徴とするポッティング範囲限定構造。
【請求項２】
請求項１に記載の構造であって、
前記隔壁はプリント基板の離れた部位に搭載された複数の電子部品を囲む複数の上下が開いた多面体またはリング状の隔壁を一体化したことを特徴とするポッティング範囲限定構造。  
【考案の詳細な説明】
【技術分野】
【０００１】
本考案は、範囲を限定するポッティング処理を行うものに関する。
【背景技術】
【０００２】
従来、ポッティング範囲を限定するためには筐体側にポッティング材をせき止めるための突起や壁などの囲い構造を設けることが一般的であった（例えば特許文献１）。
【先行技術文献】
【特許文献】
【０００３】
【特許文献１】特開２００５−１６０２０６号公報
【考案の概要】
【考案が解決しようとする課題】
【０００４】
しかしながら、前記の様に筐体側にポッティング材せき止めのための突起や壁などを予め設けておくと、コネクタ等の配線、接続時に前記の突起や壁などの構造に指や手が当たり、組立て作業の妨げとなるため、組立て時の作業性を低下させる問題があった。
【０００５】
そこで、本考案の課題は、組立性を低下させず、且つポッティング材のせき止めとなる構造を提供することを目的とする。
【課題を解決するための手段】
【０００６】
上記の課題を解決するために、本考案は、プリント基板に搭載された所定の電子部品を絶縁または防水のためのポッティング材で覆う範囲を限定する構造であって、上下が開いた多面体またはリング状の閉域を形成する隔壁を前記プリント基板または筐体とは別の部材で構成し、前記隔壁をポッティング材で覆うべき前記電子部品を囲うように装着し、ポッティング材を注入する際に硬化前のポッティング材が流出することを防止することを特徴とする。
【考案の効果】
【０００７】
本考案によれば、ポッティング材のせき止め構造部が着脱可能であるため、コネクタ等の配線、接続を行った後に前記ポッティング材のせき止め構造部を組み込むことができるので、従来のようにポッティング材のせき止め構造が組立て作業の妨げにならず、組立ての作業性が向上する。
【図面の簡単な説明】
【０００８】
【図１】本考案による構成の一実施例を示す斜視図である。
【図２】本考案による構成の一実施例を示す斜視図であり、図１から隔壁部品１を除いた状態の図である。
【図３】図１の構成のＡ−Ａ線断面図である。
【図４】本考案による構成の一実施例を示す斜視図である。
【考案を実施するための形態】
【０００９】
以下、図面を参照して本考案の実施の形態について詳細を説明する。
図１は本考案による一実施例の構成を示す斜視図である。
１はポッティング材をせき止めるための部品(以下、隔壁部品と呼称)、１０は筐体ケース、２０は基板、２１はＬＣＤ部品、２２はＬＣＤ部品２１のケーブルを差し込むためのコネクタである。
ポッティング材は隔壁部品１の内に充填する。(図３参照)
【００１０】
図２は、図１の隔壁部品１を実装する前の状態を示す。
組立ての際には、まず図２の状態時にＬＣＤ部品２１のケーブルをコネクタ２２に差し込み、その後に隔壁部品１を実装する。
隔壁部品１を実装後、隔壁部品１内の空間にポッティング材６０を充填する。(ポッティング材６０の充填については図３参照)
【００１１】
従来の構造では、隔壁部品１にあたるものと筐体ケース１０にあたるものが一体化していた。そのため、コネクタなどを接続する際などに作業スペースが狭く、作業性が悪かった。
しかし、本案件の構造では隔壁部品１と筐体ケース１０が分離できるため、コネクタ２２の接続時には隔壁部品１を実装せず、前記コネクタ２２の接続完了後に前記隔壁部品１を実装することにより組立性を妨げることがないため、作業性を向上させられる。
【００１２】
なお、本案件は上記実施形態に限定されるものではなく、以下の様に変形し、実施することができる。
(1)ポッティング材を充填する箇所が複数ある場合、隔壁部品を複数の別ピースに分け、必要に応じた箇所に設置することが可能である。この様な構成にすることにより、せき止め構造による組立性の妨げを最小限に抑えることができる。
(2)上述(1)とは別の実施形態として、ポッティング材を充填する箇所が複数ある場合でも、その全てのポッティング部(ポッティング部１１１、１１２)に対して、図４の様に１個のピースである隔壁部品１００にて対応することで組立工数と部品点数の削減ができる。
【符号の説明】
【００１３】
１        隔壁部品
１０      筐体ケース
２０      基板
２１      ＬＣＤ部品
２２      コネクタ（ＬＣＤ部品２１と）
３０      隔壁部品(隔壁部品１の断面)
４０      筐体ケース（筐体１０の断面）
５０      基板（基板２０の断面）
５１      コネクタ（コネクタ２２の断面）
６０      ポッティング材
１００    隔壁部品
１１１    ポッティング部（ポッティング材充填箇所）
１１２    ポッティング部（ポッティング材充填箇所）
【図１】
0003156566.tif 000003
【図２】
0003156566.tif 000004
【図３】
0003156566.tif 000005
【図４】
0003156566.tif 000006